(57)【要約】【課題】  ＳＰＤを内蔵させた場合であっても、複雑な誤動作防止回路を必要とすることなく、簡単な回路構成でもって雷サージ電流による誤動作を防止する。【解決手段】  低圧の一線接地式単相交流電路１の電源側と負荷側間に接続されたＺＣＴ２を備え、そのＺＣＴ２に流れる漏電電流に基づいて単相交流電路１での漏電を検出する漏電検出部３を設け、その漏電検出部３からの検出信号によりＺＣＴ２の電源側に設けた接点４を開放する漏電保護装置において、前記ＺＣＴ２の電源側と接点４間の線間に一つのＺｎＯ素子５を設け、かつ、そのＺｎＯ素子５のいずれか一方の端子と大地間に放電ギャップ６を接地するように設ける。【選択図】  図１
2006156304.tif 000002
【特許請求の範囲】
【請求項１】
低圧の一線接地式単相交流電路の電源側と負荷側間に接続されたＺＣＴを備え、そのＺＣＴに流れる漏電電流に基づいて前記単相交流電路での漏電を検出する漏電検出部を設け、その漏電検出部からの検出信号によりＺＣＴの電源側に設けた接点を開放する漏電保護装置において、前記ＺＣＴの電源側と接点間の線間に一つのＺｎＯ素子を設け、かつ、そのＺｎＯ素子のいずれか一方の端子と大地間に放電ギャップを接地するように設けたことを特徴とする漏電保護装置。
【請求項２】
低圧の一線接地式単相交流電路の電源側と負荷側間に接続されたＺＣＴを備え、そのＺＣＴに流れる漏電電流に基づいて前記単相交流電路での漏電を検出する漏電検出部を設け、その漏電検出部からの検出信号によりＺＣＴの電源側に設けた接点を開放する漏電保護装置において、前記接点の電源側の線間に一つのＺｎＯ素子を設け、かつ、そのＺｎＯ素子のいずれか一方の端子と大地間に放電ギャップを接地するように設けたことを特徴とする漏電保護装置。
【請求項３】
前記ＺｎＯ素子のいずれか一方の端子と単相交流電路の電源線との間にヒューズを介挿した請求項１に記載の漏電保護装置。
【請求項４】
前記ヒューズの放電ギャップ側とＺＣＴ負荷側のヒューズ側電源線との間に抵抗体を接続し、その抵抗体をＺＣＴをバイパスしてヒューズと並列に設けると共に、その抵抗値はヒューズ溶断時に漏電検出部を動作させる請求項１又は３に記載の漏電保護装置。
【請求項５】
前記ヒューズと並列に抵抗体をＺＣＴに貫通して接続するように設けると共に、その抵抗値はヒューズ溶断時に漏電検出部を動作させる請求項２又は３に記載の漏電保護装置。
【請求項６】
低圧の一線接地式単相交流電路の電源側と負荷側間に接続されたＺＣＴを備え、そのＺＣＴに流れる漏電電流に基づいて前記単相交流電路での漏電を検出する漏電検出部を設け、その漏電検出部からの検出信号によりＺＣＴの電源側に設けた接点を開放する漏電保護装置において、前記ＺＣＴの電源側と接点間の線間に二つのＺｎＯ素子を直列に設け、かつ、それら二つのＺｎＯ素子の接続箇所と大地間に放電ギャップを接地するように設けたことを特徴とする漏電保護装置。
【請求項７】
低圧の一線接地式単相交流電路の電源側と負荷側間に接続されたＺＣＴを備え、そのＺＣＴに流れる漏電電流に基づいて前記単相交流電路での漏電を検出する漏電検出部を設け、その漏電検出部からの検出信号によりＺＣＴの電源側に設けた接点を開放する漏電保護装置において、前記接点の電源側の線間に二つのＺｎＯ素子を直列に設け、かつ、それら二つのＺｎＯ素子の接続箇所と大地間に放電ギャップを接地するように設けたことを特徴とする漏電保護装置。
【請求項８】
前記二つのＺｎＯ素子と直列に各ＺｎＯ素子の電源線側にヒューズを介挿した請求項６又は７に記載の漏電保護装置。
【請求項９】
各ヒューズのＺｎＯ素子側とそのヒューズと反対側電源線のＺＣＴ負荷側との線間に二つの同一抵抗値よりなる抵抗体を各々接続するように設けると共に、その抵抗値はヒューズ溶断時に漏電検出部を動作させる請求項６又は８に記載の漏電保護装置。
【請求項１０】
前記各ヒューズのＺｎＯ素子側とそのヒューズと反対側電源線の接点電源側との線間に二つの同一抵抗値よりなる抵抗体の夫々をＺＣＴに貫通して接続するように設けると共にその抵抗値はヒューズ溶断時に漏電検出部を動作させる請求項７又は８に記載の漏電保護装置。
【請求項１１】
前記放電ギャップと大地間に接触子を設け、かつ、その接触子を開閉する機構を設けた請求項１〜１０のいずれか一項に記載の漏電保護装置。
【発明の詳細な説明】
【技術分野】
【０００１】
本発明は、漏電保護装置に関し、例えば給湯器などに組み込まれ、水漏れ等による漏電を検出する漏電ブレーカまたは漏電リレー等の漏電保護装置に関する。
【背景技術】
【０００２】
例えば給湯器などでは、感電防止を目的として、水漏れ等による漏電を検出するために漏電ブレーカまたは漏電リレー等の漏電保護装置が組み込まれているのが一般的である。この漏電保護装置は、低圧の単相交流電路の電源側と負荷側間に接続されたＺＣＴ（零相変流器）を備え、前記ＺＣＴに流れる漏電電流に基づいて単相交流電路での漏電を検出する漏電検出部を設けた回路構成を具備する。
【０００３】
この漏電保護装置では、単相交流電路に水漏れ等による漏電電流が流れると、ＺＣＴに流れる漏電電流を漏電検出部で検出し、その漏電検出部からの検出信号によりＺＣＴの電源側に設けた接点を開放する。この接点の開放により単相交流電路の電源側と負荷側を遮断することにより、その負荷側に接続された負荷を保護するようにしている。
【０００４】
これら漏電保護装置では、感電防止だけでなく、落雷などによる雷サージから負荷回路を保護するために、ＳＰＤ（サージ防護デバイス）を内蔵させたものもある。
【０００５】
このように漏電保護装置にＳＰＤを内蔵させた場合、そのＳＰＤは単相交流電路のＺＣＴ二次側に設置されるのが一般的で、雷サージが侵入すると、その雷サージ電流がＳＰＤを経由して大地に流れてＺＣＴで検出されるので漏電保護装置が誤動作する。そこで、この雷サージ電流による誤動作を防止するため、漏電保護装置に誤動作防止回路を設ける対策が施されているのが一般的である。尚、ＳＰＤをＺＣＴ二次側に設置する理由は、万一ＳＰＤが破壊した場合にも、ＳＰＤ破壊時の漏洩電流を検出してＳＰＤを含めた保護が可能となることによる。
【発明の開示】
【発明が解決しようとする課題】
【０００６】
ところで、前述したように従来の漏電保護装置にＳＰＤを内蔵させた場合、雷サージ電流による誤動作を防止するために複雑な誤動作防止回路を設ける必要がある。その結果、漏電保護装置が大型化すると共にコストアップを招来することになる。
【０００７】
一方、漏電保護装置にＳＰＤを内蔵させないで独立したＳＰＤを設置し、そのＳＰＤを単相交流電路の電源側に設置する方法もあるが、その場合、設置場所を別途要したり、設置費用が高くなるという問題があった。また、ＳＰＤをＺＣＴの電源側に設けることで誤動作防止機能は発揮するが、ＳＰＤが故障した時の故障表示部が必要となり、コストアップを招来するという問題もあった。
【０００８】
そこで、本発明は前述の問題点に鑑みて提案されたもので、その目的とするところは、ＳＰＤを内蔵させた場合であっても、複雑な誤動作防止回路を必要とすることなく、簡単な回路構成でもって雷サージ電流による誤動作を防止し、かつ、ＳＰＤが故障した場合には故障表示を少ない部品で可能とした漏電保護装置を提供することある。
【課題を解決するための手段】
【０００９】
前述の目的を達成するための技術的手段として、本発明は、低圧の一線接地式単相交流電路の電源側と負荷側間に接続されたＺＣＴを備え、そのＺＣＴに流れる漏電電流に基づいて前記単相交流電路での漏電を検出する漏電検出部を設け、その漏電検出部からの検出信号によりＺＣＴの電源側に設けた接点を開放する漏電保護装置において、前記ＺＣＴの電源側と接点間の線間に一つのＺｎＯ素子を設け、かつ、そのＺｎＯ素子のいずれか一方の端子と大地間に放電ギャップを接地するように設けたことを特徴とする。
【００１０】
この漏電保護装置では、一つのＺｎＯ素子及び放電ギャップを接点の電源側の線間に設ける手段や、前記ＺＣＴの電源側と接点間の線間に二つのＺｎＯ素子を設け、かつ、それら二つのＺｎＯ素子の接続端子と大地間に放電ギャップを設ける手段、或いは二つのＺｎＯ素子及び放電ギャップを接点の電源側に設ける手段も可能である。
【００１１】
本発明に係る漏電保護装置では、単相交流電路のＺＣＴの電源側にＺｎＯ素子を設け、そのＺｎＯ素子のいずれか一方の端子と大地間に放電ギャップを設けたことにより、そのＺＣＴの電源側から雷サージが侵入してきた場合、ＺｎＯ素子と放電ギャップで雷サージ電流を吸収する。従って、雷サージ電流はＺＣＴを流れなく、その雷サージ電流をＺＣＴで検出することがないことから、漏電検出部が誤動作することはない。
【００１２】
前述の構成において、ＺｎＯ素子のいずれか一方の端子と単相交流電路の電源線との間にヒューズを介挿した回路構成とすることが望ましい。このようにすれば、耐量を超える雷サージ電流によりＺｎＯ素子あるいは放電ギャップがショートした場合であっても、そのＺｎＯ素子および放電ギャップを確実に切り離すことができる。
【００１３】
また、前述の構成において、各ヒューズのＺｎＯ素子側とそのヒューズと反対側電源線のＺＣＴ負荷側との線間に二つの同一抵抗値よりなる抵抗を各々接続するように設けると共に、その抵抗値はヒューズ溶断時に漏電検出部を動作させる回路構成とすることが望ましい。このようにすれば、ＺｎＯ素子あるいは放電ギャップがショートしてヒューズが切れた場合、抵抗に電流が流れるので、その電流をＺＣＴで検出できて漏電リレーを切り離し動作させると共に、漏電動作表示させ異常を報知させることができる。
【００１４】
尚、ＺｎＯ素子あるいは放電ギャップの設置位置をＺＣＴの電源側と接点間又は接点の電源側の二通りについて記載したが、その設置位置がＺＣＴの電源側と接点間の場合、ヒューズ動作時、ＺｎＯ素子あるいは放電ギャップを含めて切り離されるので設置位置としては望ましいが、この場合、接点には雷サージ電流が流れるので雷サージ電流の大きさによっては接点が溶着する可能性がある。従って、大きな雷サージ電流を保障するにはＺｎＯ素子あるいは放電ギャップの設置位置を接点の電源側とすることが重要となり、雷サージ電流の保障値によってその設置位置が決まる。
【００１５】
次に、ＺｎＯ素子が一つの場合と二つの場合について記載したが、この場合どちらであっても雷サージに対する保護性能だけをいえば同一である。ＺｎＯ素子が一つの場合の方がＺｎＯ素子の大きさも半分となり設置場所が少なく、かつ、低コストとなる優位性がある反面、接地抵抗が低接地箇所での使用では放電ギャップ接地相が電源の非接地相となった場合には放電ギャップが雷サージにて動作すると交流電源がショートされるので放電ギャップの続流遮断能力を超えた交流続流電流が流れるという課題がある。従って、ＺｎＯ素子が一つの場合には、使用場所での接地抵抗値の大きさに対する限定条件が付けられる。一方、ＺｎＯ素子が二つの場合には、前記限定条件を付けることを要さないという効果を有する。
【００１６】
更に、ＺｎＯ素子が一つの場合にあっては、ヒューズに並列に抵抗体を設けてヒューズ溶断時に漏電検出部を動作させる手段について記載したが、この手段では、ＺｎＯ素子が劣化してヒューズ溶断時に抵抗体に電流を流し、その電流をＺＣＴで検出して漏電検出部を動作させるものである。この手段によれば、故障警報は、漏電ブレーカまたは漏電リレーが有している本来の機能に連動させるのに抵抗体を一つ付加するだけでＺｎＯ素子の劣化警報を可能とする。
【００１７】
次に、ＺｎＯ素子が二つの場合には、前記のようにヒューズに抵抗体を並列に接続する手段では一つのＺｎＯ素子が劣化してヒューズが溶断しても他の一つのＺｎＯ素子が正常であれば抵抗体に電流が流れないので異常を検出することはできない。この解決手段として、二つのヒューズ個々に対してヒューズを介して線間に同一抵抗値の二つの抵抗体を夫々設けると共に、抵抗体には常時漏電ブレーカまたは漏電リレーを動作させ得る電流を流しておきＺＣＴに対しては二つの抵抗体に流れる電流を打ち消すように結線し、二つのヒューズの一方が溶断した場合に抵抗体に流れる電流が零になるとＺＣＴで他方に流れる電流を検出して漏電検出部を動作させるものである。この手段によれば、抵抗体を二つ付加するだけでＺｎＯ素子の劣化警報を可能とする。
【００１８】
尚、抵抗の接続手段については、ＺＣＴをバイパスする手段とＺＣＴを貫通させる手段について記載したが、ＺＣＴをバイパスする手段の場合は、ＺｎＯ素子の設置箇所が接点の負荷側でないと漏電ブレーカまたは漏電リレーが動作した後も抵抗体を介して電源側が接続した回路形成となる。これに対してＺＣＴを貫通させる手段は、ＺｎＯ素子の設置箇所の条件に係わらず前記課題はないがプリント基板上に設けるに当たっては抵抗体以外にジャンパ線を必要とする。
【００１９】
なお、前述の構成において、放電ギャップと大地間に接触子を設け、かつ、その接触子を開閉する機構を設けた回路構成とすることも可能である。このようにすれば、製品の出荷に際して実施される耐圧試験時、接触子を開放しておけば、装置全体の耐圧試験を簡単な操作で可能となる。
【発明の効果】
【００２０】
本発明によれば、単相交流電路のＺＣＴの電源側にＺｎＯ素子を設け、そのＺｎＯ素子のいずれか一方の端子と大地間に放電ギャップを設けたことにより、そのＺＣＴの電源側から雷サージが侵入してきた場合、ＺｎＯ素子と放電ギャップで雷サージ電流を吸収する。また、雷サージ電流がＺＣＴを流れないので、その雷サージ電流をＺＣＴが検出することがないことから、漏電検出部が誤動作することはない。その結果、複雑な誤動作防止回路を設置する必要がないので、漏電保護装置の小型化およびコスト低減を図ることができてその実用的価値は大きい。
【００２１】
また、ＺｎＯ素子が過大な雷サージ電流によって劣化した場合、ＺｎＯ素子の発煙発火をヒューズで保護し、かつ、ヒューズ溶断時に故障表示を簡単な回路構成で可能としたことで前記と同様な効果を有する。更に、ＳＰＤを接点の電源側とすることでサージ耐量を大きくするような制限はなく、性能の高いＳＰＤ機能搭載の漏電保護装置とすることが容易である。
【発明を実施するための最良の形態】
【００２２】
図１〜図１４は本発明に係る漏電保護装置の各実施形態を示す回路図である。この漏電保護装置は、例えば給湯器などに漏電ブレーカまたは漏電リレー等として組み込まれ、感電防止を目的として、水漏れ等の絶縁劣化による漏電を検出する。
【００２３】
各実施形態における漏電保護装置は、図１〜図１２に示すように低圧の単相交流電路１の電源側と負荷側間に接続されたＺＣＴ２（零相変流器）を備え、そのＺＣＴ２に流れる漏電電流に基づいて単相交流電路１での漏電を検出する漏電検出部３を設けた回路構成を具備する。
【００２４】
この漏電保護装置では、単相交流電路１に漏電電流が流れると、ＺＣＴ２に流れる漏電電流を漏電検出部３で検出し、その漏電検出部３からの検出信号によりＺＣＴ２の電源側に設けた接点４を開放する。この接点４の開放により単相交流電路１の電源側と負荷側を遮断することにより、その負荷側に接続された負荷を保護する。尚、前記動作時には動作表示部９で動作した状態表示を行い、点検を容易としている。
【００２５】
これら漏電保護装置では、漏電保護だけでなく、落雷などによる雷サージから負荷回路を保護するために、ＳＰＤ（サージ防護デバイス）を内蔵させた回路構成を具備する。その実施形態を図１〜図８に基づいて以下に詳述する。
【００２６】
図１に示す第一の実施形態における漏電保護装置は、接点４とＺＣＴ２の電源側の間に一つのＺｎＯ素子５を設け、かつ、そのＺｎＯ素子５のＬ2側端子と大地間に放電ギャップ６を設けた回路構成を具備する。
【００２７】
この第一の実施形態では、電源線Ｌ1，Ｌ2の線間に印加される雷サージについては、その電源線Ｌ1，Ｌ2の線間に設けられたＺｎＯ素子５により吸収される。また、放電ギャップ６が設けられていない電源線Ｌ1と大地間に印加される雷サージについては、ＺｎＯ素子５と放電ギャップ６と大地で閉回路を形成し、そのＺｎＯ素子５と放電ギャップ６で吸収される。さらに、放電ギャップ６が設けられた電源線Ｌ2と大地間に印加される雷サージについては、放電ギャップ６で吸収される。
【００２８】
ここで、前述の放電ギャップ６は、大地間に設置されており、かつ、単一であるため、サージ電圧によって放電ギャップ６が放電した時の線間電源電圧による続流は、通常、接地抵抗が数Ω以上であれば放電ギャップ６の続流遮断性能範囲以内に電流が抑制されるので交流の零点で遮断される。また、大地間には必ず放電ギャップ６を介して接続されていることから、ＺｎＯ素子５が劣化による電流は線間にしか流れなく、従って、ＺｎＯ素子５が劣化電流で、単相交流電路１の電源側に設けられた漏電保護装置を動作させることはない。
【００２９】
なお、この実施形態では、一つのＺｎＯ素子５を設けているので、装置の小型化およびコスト低減が図れる。また、単相交流電路１の線間には放電ギャップ６がないので、放電ギャップ６での放電開始時のひげ状振動サージ電圧が発生せず、さらに、線間抑制電圧も大地間に比べて低くできると共に線間サージ耐量を大地間と同じサージ耐量とすることができる。一方、雷サージ電流がＺＣＴ２を通らないことから、そのＺＣＴ２で雷サージ電流を検出することがないので、漏電検出部３が誤動作することはない。
【００３０】
図２に示す第二の実施形態における漏電保護装置は、接点４とＺＣＴ２の電源側の間に一つのＺｎＯ素子５を設け、かつ、そのＺｎＯ素子５のＬ2側端子と大地間に放電ギャップ６を設けると共に、ＺｎＯ素子５のＬ2端子と単相交流電路１の電源線Ｌ2との間にヒューズ７を介挿した回路構成を具備する。
【００３１】
この第二の実施形態では、万一、耐量を超えるサージ電流が流れることにより、ＺｎＯ素子５が劣化してショートした場合や放電ギャップ６がショートした場合でも、ヒューズ７の溶断により、ＺｎＯ素子５および放電ギャップ６を単相交流電路１から確実に切り離すことができる。
【００３２】
なお、前述した第一および第二の実施形態では、一つのＺｎＯ素子５および放電ギャップ６を含めたＳＰＤを接点４とＺＣＴ２の電源側の間に設けた場合について説明したが、図３および図４で示す第三および第四の実施形態のように一つのＺｎＯ素子５及び放電ギャップ６を接点４の電源側に設けることも可能である。これら第一および第二の実施形態と第三および第四の実施形態の違いは雷サージ電流が接点４を通るか通らないかである。
【００３３】
一般に、漏電リレーの場合、接点４を構成する小形リレーが採用されるが同リレーの接点は大きな電流通電では接点溶着が起きるのでＺｎＯ素子５や放電ギャップ６の雷サージ電流保障耐量との協調が重要であり、第一および第二の実施形態と第三および第四の実施形態のどちらを選択するかは接点４のサージ耐量とＳＰＤの雷サージ電流保障耐量によるが、ＳＰＤを含めた故障保護からは第一および第二の実施形態が望ましい。
【００３４】
図５に示す第五の実施形態における漏電保護装置は、接点４とＺＣＴ２の電源側の間に一つのＺｎＯ素子５を設け、かつ、そのＺｎＯ素子５のＬ2側端子と大地間に放電ギャップ６を設けると共に、ＺｎＯ素子５のＬ2端子と単相交流電路１の電源線Ｌ2との間にヒューズ７を介挿し、ヒューズ７の放電ギャップ側端子とＺＣＴ負荷側のヒューズ側電源線Ｌ2との間に抵抗体８を接続し、その抵抗体８をＺＣＴ２をバイパスしてヒューズ７と並列に設けた回路構成を具備する。
【００３５】
この第五の実施形態では、ＺｎＯ素子５または放電ギャップ６がショートしてヒューズ７が切れた場合、抵抗体８に電流が流れるので、この電流がＺＣＴ２に流れることにより、漏電検出部３で検出可能となり、その漏電検出部３からの検出信号に基づいて異常を報知することができる。図中、９は漏電検出部３の出力に接続された表示部である。
【００３６】
前述した第五の実施形態では、抵抗体８をＺＣＴ２をバイパスしてヒューズ７と並列に設けた回路構成としたが、図６に示す第六の実施形態のようにヒューズ７と並列に抵抗体８をＺＣＴ２を貫通させて接続した回路構成も可能である。この第五および第六の実施形態の違いは、抵抗体８をＺＣＴ２をバイパスしてヒューズ７と並列に設けるかＺＣＴ２を貫通して設けるかである。なお、第六の実施形態において、抵抗体８をＺＣＴ２を貫通させて接続する代わりに、ＺＣＴ２をバイパスして設けた回路構成とすると、接点４が開成した状態でも抵抗体８を介して負荷側に電位がかかるという問題があるので使用することができない。
【００３７】
次に、第一〜第四の実施形態における一つのＺｎＯ素子５を図７〜１０で示す第七〜第十の実施形態のように二つのＺｎＯ素子５ａ，５ｂに置き換えることも可能である。この第七〜第十の実施形態では、放電ギャップ６は、二つのＺｎＯ素子５ａ，５ｂの接続端子と大地間に設けることになる。尚、この場合、放電ギャップ６にはＺｎＯ素子５が直列に接続されるので交流電源による続流の問題がなく接地抵抗の大きさに制限はない。更に、第九および十の実施形態では、ＺｎＯ素子の電源側としたことは重要である。その理由の一つは二つのＺｎＯ素子５ａ，５ｂを一体形成した素子の採用が可能となることで、理由の二つめは以下に説明する第十一〜第十三の実施形態のヒュ−ズ溶断時の検出を可能とするためである。
【００３８】
また、図１１〜図１３に示す第十一〜第十三の実施形態では、ＺｎＯ素子５ａ，５ｂの劣化時によるヒューズ溶断による故障表示は、第五または第六の実施形態のように抵抗体８によって漏電検出部３を動作させて表示９によって異常報知させることは同様であるが、その構成回路と原理は異なる。
【００３９】
つまり、第五、第六の実施形態では抵抗体８をヒューズ７に並列に接続して常時は抵抗体８に電流を流さないがヒューズ７の溶断時に電流を流す方式としたのを、第十一〜第十三の実施形態では、各ヒューズ７のＺｎＯ素子５側とそのヒューズ７と反対側電源線の線間に二つの同一抵抗値よりなる抵抗体８を各々接続するように構成して、その抵抗値はヒューズ７の溶断時に漏電検出部３を動作させるように二つの抵抗体８に常時同じ電流を流すと共に、同各電流はＺＣＴ２で互いに打ち消されるような接続形態をとり、二つのＺｎＯ素子５ａ，５ｂの何れか一方の劣化によるヒューズ７の溶断によって劣化素子側の電流がゼロアンペアになるのでＺＣＴ２では不平衡電流として他のＺｎＯ素子側の抵抗体８に流れる電流を検出して漏電検出部３を動作させるものである。
【００４０】
尚、ここで，第十一の実施形態と第十二、第十三の実施形態の違いは，第十一の実施形態が二つの抵抗体８の電流を第五の実施形態と同様にＺＣＴ２をバイパスさせる手段とし、第十二、第十三の実施形態は二つの抵抗体８の電流を第六の実施形態と同様にＺＣＴ２を貫通させる手段としたことである。その理由は第五および第六の実施形態と同様であるので説明を省略する。このような構成とすることで二つのＺｎＯ素子５ａ，５ｂの何れか一方の劣化であっても劣化検出を可能とし得る。
【００４１】
尚、以上の説明におけるヒューズ７は、電流ヒューズ単独であっても温度ヒューズ単独であっても、またその組み合わせであってもよいが、ＺｎＯ素子５ａ，５ｂの劣化による発煙、発火の保護からは、温度ヒューズを使用することが望ましい。また、図７〜図１３に示す第七〜第十三の実施形態は、単相二線の交流電路に限らず、単相三線の交流電路にも適用可能であり、この場合、図示を省略するが、例えば単相三線の交流電路におけるＮ相線は、図７〜図１３中に示された二つのＺｎＯ素子５ａ，５ｂとの接続点及びＺＣＴ２を経由して電源側と負荷側の端子間に配される。
【００４２】
さらに、図１４に示す第十四の実施形態のように放電ギャップ６と大地間に接触子１０を設け、かつ、その接触子１０を開閉する機構を設けた回路構成とすることが可能である。接触子１０を開閉する機構としては、接触子１０の二つの接片間に絶縁レバー１１を退入自在に配置した構造が望ましい。このような構造を採用すれば、放電ギャップ６の耐電圧が漏電保護装置の規定耐電圧試験に満たない場合、接触子１０に絶縁レバー１１を挿入してその接触子１０を開状態（図１５参照）とすれば、規定耐電圧試験を実施することができる。通常の運用時には、接触子１０から絶縁レバー１１を離脱させてその接触子を閉状態としておけばよい。
【図面の簡単な説明】
【００４３】
【図１】本発明に係る漏電保護装置の第一の実施形態を示す回路図である。
【図２】本発明に係る漏電保護装置の第二の実施形態を示す回路図である。
【図３】本発明に係る漏電保護装置の第三の実施形態を示す回路図である。
【図４】本発明に係る漏電保護装置の第四の実施形態を示す回路図である。
【図５】本発明に係る漏電保護装置の第五の実施形態を示す回路図である。
【図６】本発明に係る漏電保護装置の第六の実施形態を示す回路図である。
【図７】本発明に係る漏電保護装置の第七の実施形態を示す回路図である。
【図８】本発明に係る漏電保護装置の第八の実施形態を示す回路図である。
【図９】本発明に係る漏電保護装置の第九の実施形態を示す回路図である。
【図１０】本発明に係る漏電保護装置の第十の実施形態を示す回路図である。
【図１１】本発明に係る漏電保護装置の第十一の実施形態を示す回路図である。
【図１２】本発明に係る漏電保護装置の第十二の実施形態を示す回路図である。
【図１３】本発明に係る漏電保護装置の第十三の実施形態を示す回路図である。
【図１４】本発明に係る漏電保護装置の第十四の実施形態を示す回路図である。
【図１５】図１４の接触子を絶縁レバーで開放した状態を示す部分回路図である。
【符号の説明】
【００４４】
１  単相交流電路
２  ＺＣＴ
３  漏電検出部
４  接点
５  ＺｎＯ素子
６  放電ギャップ
７  ヒューズ
８  抵抗
１０  接触子
【図１】
2006156304.tif 000003
【図２】
2006156304.tif 000004
【図３】
2006156304.tif 000005
【図４】
2006156304.tif 000006
【図５】
2006156304.tif 000007
【図６】
2006156304.tif 000008
【図７】
2006156304.tif 000009
【図８】
2006156304.tif 000010
【図９】
2006156304.tif 000011
【図１０】
2006156304.tif 000012
【図１１】
2006156304.tif 000013
【図１２】
2006156304.tif 000014
【図１３】
2006156304.tif 000015
【図１４】
2006156304.tif 000016
【図１５】
2006156304.tif 000017